(57)【特許請求の範囲】
【請求項１】
複数の走査線と複数のデータ線との交差に対応してそれぞれ設けられ、各々は、前記走査線が選択されたときに、前記データ線に供給されたデータ信号の電圧と当該電圧の保持期間とに応じた階調となる複数の画素を有する電気光学装置であって、
１フレームを構成する第１および第２フィールドのそれぞれにおいて前記複数の走査線を所定の順番で選択する走査線選択回路と、
前記第１フィールドで一の走査線が選択された場合に、当該一の走査線に位置する画素に対し、当該画素の階調に応じた電圧であって、所定の電位を基準として高位である正極性または低位である負極性のいずれか一方の極性の電圧を前記データ信号として当該画素に対応するデータ線に供給し、前記一の走査線とは異なる他の走査線が選択された場合に、前記他の走査線に位置する画素に対し、当該画素の階調に応じた電圧であって、前記正極性または前記負極性のいずれか他方の極性の電圧を前記データ信号として当該画素に対応するデータ線に供給し、
前記第２フィールドで前記一の走査線が選択された場合に、当該一の走査線に位置する画素に対し、当該画素の階調に応じた電圧であって、前記正極性または前記負極性のいずれか他方の極性の電圧を前記データ信号として当該画素に対応するデータ線に供給し、前記他の走査線が選択された場合に、前記他の走査線に位置する画素に対し、当該画素の階調に応じた電圧であって、前記正極性または前記負極性のいずれか一方の極性の電圧を前記データ信号として当該画素に対応するデータ線に供給するデータ線駆動回路と、
正極性の電圧が供給された画素と負極性の電圧が供給された画素とを撮像する光センサと、
前記光センサにより撮像された前記一の走査線に位置する画素が、階調が互いに等しく、前記第１および第２フィールドとにおいて同じ階調となるように、前記複数の走査線の選択開始と同期する前記第２フィールドの開始タイミングを変化させることにより、前記１フレームの期間長に対する前記第１および第２フィールドの期間長を制御する制御回路と、
を具備し、
前記走査線選択回路は、一のフレームの第１および第２フィールドにわたって、前記複数の走査線のうち、所定の走査線を開始点として、所定方向に所定の間隔をおいて順番に選択するとともに、前記一のフレームの第２フィールドおよび次のフレームの第１フィールドにわたって、前記開始点とした走査線から前記所定方向に順番に前記おいた間隔で選択し、
前記光センサは、一のフィールドの期間の終了時点において、前記正極性の電圧が供給された複数の画素からなる領域、および、前記負極性の電圧が供給された複数の画素からなる領域を撮像する
ことを特徴とする電気光学装置。
【請求項２】
複数の走査線と複数のデータ線との交差に対応してそれぞれ設けられ、各々は、前記走査線が選択されたときに、前記データ線に供給されたデータ信号の電圧と当該電圧の保持期間とに応じた階調となる複数の画素を有する電気光学装置の駆動方法であって、
１フレームを構成する第１および第２フィールドのそれぞれにおいて前記複数の走査線を所定の順番で選択するとき、一のフレームの第１および第２フィールドにわたって、前記複数の走査線のうち、所定の走査線を開始点として、所定方向に所定の間隔をおいて順番に選択するとともに、前記一のフレームの第２フィールドおよび次のフレームの第１フィールドにわたって、前記開始点とした走査線から前記所定方向に順番に前記おいた間隔で選択し、
前記第１フィールドで一の走査線が選択された場合に、当該一の走査線に位置する画素に対し、当該画素の階調に応じた電圧であって、所定の電位を基準として高位である正極
性または低位である負極性のいずれか一方の極性の電圧を前記データ信号として当該画素に対応するデータ線に供給し、前記一の走査線とは異なる他の走査線が選択された場合に、前記他の走査線に位置する画素に対し、当該画素の階調に応じた電圧であって、前記正極性または前記負極性のいずれか他方の極性の電圧を前記データ信号として当該画素に対応するデータ線に供給し、
前記第２フィールドで前記一の走査線が選択された場合に、当該一の走査線に位置する画素に対し、当該画素の階調に応じた電圧であって、前記正極性または前記負極性のいずれか他方の極性の電圧を前記データ信号として当該画素に対応するデータ線に供給し、前記他の走査線が選択された場合に、前記他の走査線に位置する画素に対し、当該画素の階調に応じた電圧であって、前記正極性または前記負極性のいずれか一方の極性の電圧を前記データ信号として当該画素に対応するデータ線に供給し、
一のフィールドの期間の終了時点において、正極性の電圧が供給された複数の画素からなる領域と、負極性の電圧が供給された複数の画素からなる領域とを撮像し、
撮像した前記一の走査線に位置する画素が、階調が互いに等しく、前記第１および第２フィールドとにおいて同じ階調となるように、前記複数の走査線の選択開始と同期する前記第２フィールドの開始タイミングを変化させることにより、前記１フレームの期間長に対する前記第１および第２フィールドの期間長を制御する
ことを特徴とする電気光学装置の駆動方法。
【請求項３】
請求項１に記載の電気光学装置を備えることを特徴とする電子機器。
【発明の詳細な説明】
【技術分野】
【０００１】
本発明は、いわゆる電気光学装置の焼き付きを防止する技術に関する。
【背景技術】
【０００２】
一般に、液晶表示装置のような電気光学装置では、画素電極および対向電極で液晶を挟持した液晶容量（画素）に直流成分が印加されないように、画素電極に印加する電圧を、高位側（正極性）の電圧と低位側（負極性）の電圧とで交互に切り替える交流駆動が原則である。
一方、画素電極を薄膜トランジスタ（thin film transistor：以下「ＴＦＴ」と称する）により駆動するアクティブマトリクス型では、いわゆるプッシュダウン（フィールドスルー、突き抜けとも呼ばれる）が発生する。さらに、液晶容量のリークは、正極性の電圧を保持する場合と負極性の電圧を保持する場合とで異なる。
このため、画素電極に印加する電圧の極性基準と対向電極に印加する電圧と一致させると、同じ階調に相当する正・負極性の電圧であっても、正極性の電圧を保持する場合と負極性電圧の電圧を保持する場合とで液晶容量の電圧実効値が異なって、液晶容量に直流成分が印加されてしまうことになる。
【０００３】
なお、液晶容量に直流成分が印加されると、液晶が劣化して、過去に表示した静止画が残像となって現れる場合がある。この残像が、ＣＲＴの蛍光面で発生する焼き付きに似ていることから、液晶容量への直流成分の印加に起因する現象を焼き付きと呼ぶことがある。また、液晶容量の電圧実効値の差は、画素の階調（明るさ）の差となって現れるので、フリッカーの原因にもなる。
【０００４】
このため、同じ階調に相当する正・負極性の電圧を交互に印加したときに、フリッカーが最小となるように、工場出荷時に対向電極の電圧を調整する技術（例えば、特許文献１参照）や、フリッカーのある画面を撮像し、フリッカーを打ち消す成分の補正量を予めデータ信号に加える技術（例えば、特許文献２参照）などが提案されている。
【特許文献１】特開２００５−２２１５６９号公報参照
【特許文献２】特開２００３−２３４９８１号公報参照
【発明の開示】
【発明が解決しようとする課題】
【０００５】
しかしながら、工場出荷時に対向電極の電圧が最適となるように調整しても、経年変化によってフリッカーが発生する場合がある。このため、工場出荷後に対向電極の電圧を再調整することも考えられるが、工場出荷時においてなされた各種調整値が無意味となってしまうので、表示画像の品質が損なわれる可能性もある。
一方、フリッカーを打ち消す成分を予めデータ信号に加える構成では、その補正量を記憶するための回路が別途必要となる。
本発明は、上述した事情に鑑みてなされたもので、その目的の１つは、対向電極の電圧を再調整することなく、さらには、フリッカーを打ち消す成分を予めデータ信号に加えることなく、フリッカーの発生を抑えることが可能な技術を提供することにある。
【課題を解決するための手段】
【０００６】
上記目的を達成するために、本発明に係る電気光学装置は、複数の走査線と複数のデータ線との交差に対応してそれぞれ設けられ、各々は、前記走査線が選択されたときに、前記データ線に供給されたデータ信号の電圧と当該電圧の保持期間とに応じた階調となる複数の画素を有する電気光学装置であって、１フレームを構成する第１および第２フィールドのそれぞれにおいて前記複数の走査線を所定の順番で選択する走査線選択回路と、前記第１フィールドで一の走査線が選択された場合に、当該一の走査線に位置する画素に対し、当該画素の階調に応じた電圧であって、所定の電位を基準として高位である正極性または低位である負極性のいずれか一方の極性の電圧を前記データ信号として当該画素に対応するデータ線に供給し、前記一の走査線とは異なる他の走査線が選択された場合に、前記他の走査線に位置する画素に対し、当該画素の階調に応じた電圧であって、前記正極性または前記負極性のいずれか他方の極性の電圧を前記データ信号として当該画素に対応するデータ線に供給し、第２フィールドで前記一の走査線が選択された場合に、当該一の走査線に位置する画素に対し、当該画素の階調に応じた電圧であって、前記正極性または前記負極性のいずれか他方の極性の電圧を前記データ信号として当該画素に対応するデータ線に供給し、前記他の走査線が選択された場合に、前記他の走査線に位置する画素に対し、当該画素の階調に応じた電圧であって、前記正極性または前記負極性のいずれか一方の極性の電圧を前記データ信号として当該画素に対応するデータ線に供給するデータ線駆動回路と、正極性の電圧が供給された画素と負極性の電圧が供給された画素とを撮像する光センサと、前記光センサにより撮像された前記一の走査線に位置する画素が、階調が互いに等しく、前記第１および第２フィールドとにおいて同じ階調となるように、前記複数の走査線の選択開始と同期する前記第２フィールドの開始タイミングを変化させることにより、前記１フレームの期間長に対する前記第１および第２フィールドの期間長を制御する制御回路と、を具備し、前記走査線選択回路は、一のフレームの第１および第２フィールドにわたって、前記複数の走査線のうち、所定の走査線を開始点として、所定方向に所定の間隔をおいて順番に選択するとともに、前記一のフレームの第２フィールドおよび次のフレームの第１フィールドにわたって、前記開始点とした走査線から前記所定方向に順番に前記おいた間隔で選択し、前記光センサは、一のフィールドの期間の終了時点において、前記正極性の電圧が供給された複数の画素からなる領域、および、前記負極性の電圧が供給された複数の画素からなる領域を撮像することを特徴とする。本発明によれば、１フレームが第１および第２フィールドによって構成されるとともに、ある画素において第１フィールドにおいて正極性の電圧が書き込まれると、第２フィールドにおいて負極性の電圧が書き込まれるとともに、第１および第２フィールドの期間長が制御されるので、対向電極の電圧を再調整することなく、またフリッカーを打ち消す成分を予めデータ信号に加えることなく、フリッカーの発生を抑えることが可能となる。
【０００８】
なお、本発明は、電気光学装置のみならず、電気光学装置の駆動方法としても、当該電気光学装置を有する電子機器としても概念することが可能である。
【発明を実施するための最良の形態】
【０００９】
以下、本発明の実施の形態について図面を参照して説明する。
【００１０】
＜第１実施形態＞
まず、本発明の第１実施形態に係る電気光学装置について説明する。図１は、第１実施形態に係る電気光学装置の構成を示すブロック図である。
この図に示されるように、電気光学装置１は、表示パネル１０と処理回路５０と光センサ７０とに大別される。このうち、処理回路５０は、制御回路５２、表示データ処理回路５４、および、Ｄ／Ａ変換回路５６を含み、表示パネル１０の動作等を制御する回路モジュールであって、表示パネル１０とは、例えばＦＰＣ（flexible printed circuit）基板によって接続される。
【００１１】
制御回路５２は、外部上位装置（図示省略）から供給される同期信号Ｖsyncに同期して表示パネル１０を制御するための各種の制御信号を生成する。なお、これらの制御信号については適宜後述するものとする。また、制御回路５２は、各種の制御信号を生成するとともに、表示データ処理回路５４を制御する。
【００１２】
光センサ７０は、表示パネル１０によって表示された画像（投射された画像も含む）のを撮像する二次元センサであり、その出力信号を制御回路５２に供給する。
表示データ処理回路５４は、外部上位装置から供給される表示データＶideoを、制御回路５２による制御にしたがって、一旦内部メモリ（図示省略）に記憶した後、表示パネル１０の駆動に同期して読み出すものである。
なお、表示データＶideoは、表示パネル１０における画素の階調を指定するデータであり、特に波形については図示しないが、周期１６．７ミリ秒（周波数６０Ｈｚ）で１フレーム分（表示パネル１０の全画素分）を供給する。また、Ｄ／Ａ変換回路５６は、読み出された表示データを、アナログのデータ信号Ｖidに変換するものである。
【００１３】
次に、表示パネル１０について説明する。図２は、表示パネル１０の構成を示す図である。
この図に示されるように、表示パネル１０は、表示領域１００の周辺に走査線駆動回路１３０およびデータ線駆動回路１４０を内蔵した周辺回路内蔵型となっている。表示領域１００では、４８０行の走査線１１２が行（Ｘ）方向に延在するように設けられ、また、６４０列のデータ線１１４が列（Ｙ）方向に延在するように、かつ、各走査線１１２と互いに電気的に絶縁を保つように設けられ、さらに、４８０行の走査線１１２と６４０列のデータ線１１４との交差に対応して、画素１１０がそれぞれ配列している。したがって、本実施形態では、表示領域１００において画素１１０が縦４８０行×横６４０列でマトリクス状に配列することになるが、本発明をこの配列に限定する趣旨ではない。
【００１４】
画素１１０の構成について図３を参照して説明する。図３は、ｉ行及びこれと１行下で隣接する（ｉ＋１）行と、ｊ列及びこれと１列右で隣接する（ｊ＋１）列との交差に対応する２×２の計４画素分の構成を示している。なお、ｉ、（ｉ＋１）は、画素１１０が配列する行を一般的に示す場合の記号であって、この説明では、１以上４８０以下の整数である。また、ｊ、（ｊ＋１）は、画素１１０が配列する列を一般的に示す場合の記号であって、１以上６４０以下の整数である。
【００１５】
図３に示されるように、各画素１１０は、ｎチャネル型のＴＦＴ１１６と液晶容量１２０とを含む。
ここで、各画素１１０については互いに同一構成なので、ｉ行ｊ列に位置する画素で代表させて説明すると、当該ｉ行ｊ列の画素１１０におけるＴＦＴ１１６のゲート電極はｉ行目の走査線１１２に接続される一方、そのソース電極はｊ列目のデータ線１１４に接続され、そのドレイン電極は液晶容量１２０の一端である画素電極１１８に接続されている。また、液晶容量１２０の他端は、対向電極１０８に接続されている。この対向電極１０８は、全ての画素１１０にわたって共通であって、時間的に一定の電圧ＬＣcomが印加されている。
【００１６】
この表示パネル１０は、特に図示しないが、素子基板と対向基板との一対の基板が一定の間隙を保って貼り合わせられるとともに、この間隙に液晶が封止された構成となっている。このうち、素子基板には、走査線１１２や、データ線１１４、ＴＦＴ１１６および画素電極１１８が走査線駆動回路１３０やデータ線駆動回路１４０とともに形成される一方、対向基板に対向電極１０８が形成されて、これらの電極形成面が互いに対向するように一定の間隙を保って貼り合わせられている。このため、本実施形態において液晶容量１２０は、画素電極１１８と対向電極１０８とが液晶１０５を挟持することによって構成されることになる。
なお、本実施形態では、液晶容量１２０において保持される電圧実効値がゼロに近ければ、液晶容量を通過する光の透過率が最大となって白色表示になる一方、電圧実効値が大きくなるにつれて透過する光量が減少して、ついには透過率が最小の黒色表示になるノーマリーホワイトモードに設定されている。
【００１７】
この構成において、走査線１１２に選択電圧を印加し、ＴＦＴ１１６をオン（導通）させるとともに、画素電極１１８に、データ線１１４およびオン状態のＴＦＴ１１６を介して、階調（明るさ）に応じた電圧のデータ信号を供給すると、選択電圧を印加した走査線１１２とデータ信号を供給したデータ線１１４との交差に対応する液晶容量１２０に、階調に応じた電圧実効値を保持させることができる。
したがって、液晶容量１２０を透過する光は、画素毎に異ならせることが可能であり、これにより、表示領域１００において画像が形成される。なお、形成された画像は、ユーザに直視され、または、後述するプロジェクタのように拡大投射されて視認される。いずれにしても、この形成された画像が光センサ７０によって撮像されることになる。
【００１８】
なお、走査線１１２が非選択電圧になると、ＴＦＴ１１６がオフ（非導通）状態となるが、このときのオフ抵抗が理想的に無限大とはならないので、液晶容量１２０に蓄積された電荷が少なからずリークする。このオフリークの影響を少なくするために、蓄積容量１０９が画素毎に形成されている。この蓄積容量１０９の一端は、画素電極１１８（ＴＦＴ１１６のドレイン）に接続される一方、その他端は、全画素にわたって容量線１０７に共通接続されている。この容量線１０７は、時間的に一定の電位、例えば対向電極１０８と同じ電圧ＬＣcomに保たれている。
【００１９】
走査線駆動回路１３０は、走査信号Ｇ1、Ｇ2、Ｇ3、…、Ｇ480を、それぞれ１、２、３、…、４８０行目の走査線１１２に供給するものである。ここで、走査線駆動回路１３０は、選択した走査線への走査信号を電圧Ｖddに相当するＨレベルとし、それ以外の走査線への走査信号を非選択電圧（接地電位Ｇnd）に相当するＬレベルとする。
【００２０】
図４は、走査線駆動回路１３０により出力される走査信号Ｇ1〜Ｇ480を、スタートパルスＤya、Ｄybとクロック信号Ｃlyとの関係において示すタイミングチャートである。
この図に示されるように、１フレームの期間において走査線１１２は、それぞれ２回選択される。ここで、フレームとは、１枚の画像を表示パネル１０に表示させるのに要する期間をいうが、表示データＶideoは、上述したように周期１６．７ミリ秒で供給されるので、１フレームとは、この周期の１６．７ミリ秒と一致する。
制御回路５２は、デューティ比が５０％のクロック信号Ｃlyを、１フレームの期間にわたって走査線数に等しい４８０周期分出力する。なお、クロック信号Ｃlyの１周期分の期間をＨと表記している。
また、制御回路５２は、クロック信号Ｃlyの１周期分のパルス幅を有するスタートパルスＤya、Ｄybを、それぞれクロック信号ＣlyがＨレベルの立ち上がり時において、それぞれ次のように出力する。すなわち、制御回路５２は、スタートパルスＤyaを１フレームの期間の最初（すなわち第１フィールドの最初）に出力する一方、スタートパルスＤybを、スタートパルスＤybを出力してからクロック信号Ｃlyの２４０周期分を出力した（すなわち、１フレームの半分期間が経過した）タイミングＴで出力する。ただし、制御回路５２は、光センサ７０の出力結果に応じてスタートパルスＤybを、後述するように、タイミングＴに対し、クロック信号Ｃlyの周期を単位とした分だけ時間的に前方側または後方側に出力する場合がある。
【００２１】
なお、１フレームの期間のうち、スタートパルスＤyaが出力されてからスタートパルスＤybが出力されるまでの期間を第１フィールドとし、スタートパルスＤybが出力されてから次のスタートパルスＤyaが出力されるまでの期間を第２フィールドとしている。
ここで、スタートパルスＤya、Ｄybは交互に出力され、このうち、スタートパルスＤyaは、１フレームの開始タイミング、すなわち１６．７ミリ秒毎に出力される。このため、スタートパルスＤyaを特定すると、必然的にスタートパルスＤybも特定できるので、図１、図２等においては、特に両者を区別することなく、スタートパルスＤyとして表記している場合がある。
【００２２】
走査線駆動回路１３０は、このようなスタートパルスＤya、Ｄybおよびクロック信号Ｃlyから、図４に示される走査信号Ｇ1〜Ｇ480を出力する。すなわち、走査線駆動回路１３０は、走査信号Ｇ1〜Ｇ480について、スタートパルスＤyaが供給されると、クロック信号ＣlyがＬレベルの期間において順次Ｈレベルとさせる一方、スタートパルスＤybが供給されると、クロック信号ＣlyがＨレベルの期間において順次Ｈレベルとさせる。
このため、スタートパルスＤyaの供給によって走査線は、あるフレームの第１から第２フィールドまでにわたって画面下方向にむかって１、２、３、４、…、４８０行目の順番で、クロック信号Ｃlyの半周期の期間をおいて選択される一方、スタートパルスＤybの供給によって走査線は、あるフレームの第２フィールドから次フレームの第１フィールドまでにわたって画面下方向にむかって１、２、３、４、…、４８０行目の順番で、スタートパルスＤyaの供給を契機とする選択の合間にて選択されることになる。
【００２３】
データ線駆動回路１４０は、サンプリング信号出力回路１４２と、各データ線１１４にそれぞれ対応して設けられたｎチャネル型のＴＦＴ１４６とによって構成される。サンプリング信号出力回路１４２は、制御回路５２による制御信号Ｃtrl-xにしたがって図５または図６に示されるように、いずれかの走査線１１２が選択され当該走査線に供給される走査信号がＨレベルとなる期間に、順次排他的にＨレベルとなるサンプリング信号Ｓ1、Ｓ2、Ｓ3、…、Ｓ640を、データ線１１４の各々に対応するように出力するものである。なお、制御信号Ｃtrl-xとは、実際にはスタートパルスやクロック信号であるが、本発明では直接関係しないので、説明を省略している。また、走査信号がＨレベルとなる期間は、実際には図５または図６に示されるように、クロック信号Ｃlyの半分周期の期間よりも若干狭められている。
【００２４】
ところで、図１におけるＤ／Ａ変換回路５６は、走査線駆動回路１３０により選択された走査線１１２に位置する画素１行分の表示データＶideoを、サンプリング信号出力回路１４２によるサンプリング信号Ｓ1〜Ｓ640の出力に合わせて次のような極性のデータ信号Ｖidに変換する。
すなわち、Ｄ／Ａ変換回路５６は、クロック信号ＣlyがＬレベルのときに選択された行に位置する画素の表示データＶidについては正極性に、クロック信号ＣlyがＨレベルのときに選択された行に位置する画素の表示データＶidについては負極性に、それぞれ変換する。換言すれば、Ｄ／Ａ変換回路５６は、スタートパルスＤyaの供給を契機として選択された行に位置する画素の表示データＶidについては正極性に、スタートパルスＤybの供給を契機として選択された行に位置する画素の表示データＶidについては負極性に、それぞれ変換する。
【００２５】
なお、正極性とは、対向電極１０８への印加電圧ＬＣcomよりも高位側に設定された基準電圧Ｖc（図５参照）に対して高位側の電圧をいい、負極性とは、基準電圧Ｖcに対して低位側の電圧をいう。また、本実施形態においてデータ信号の極性については、電圧Ｖcを基準とするが、電圧については、特に説明のない限り、論理レベルのＬレベルに相当する接地電位Ｇndを、電圧ゼロの基準としている。
【００２６】
次に、電気光学装置の動作について説明する。
まず、制御回路５２は、外部上位装置から供給される表示データＶideoを、表示データ処理回路５４の内部メモリに記憶させた後、表示パネル１０においてある行の走査線を選択するとき、当該行の表示データを記憶速度の倍の速度で読み出すとともに、表示データの読み出しに合わせて、サンプリング信号Ｓ1〜Ｓ640が順番にＨレベルとなるように、制御信号Ｃtrl-xを介してサンプリング信号出力回路１４２を制御する。なお、読み出された表示データは、Ｄ／Ａ変換回路５６によって、アナログのデータ信号Ｖidに変換される。
【００２７】
ここで、制御回路５２は、タイミングＴにおいてスタートパルスＤybを供給する場合、第１フィールドにおいて、走査線１１２が２４１、１、２４２、２、２４３、３、…、４８０、２４０行目という順番で選択される。このため、制御回路５２は、はじめに２４１行目の走査線１１２が選択されるように、走査線駆動回路１３０を制御する一方、表示データ処理回路５４に対し、メモリに記憶された２４１行目に相当する表示データＶideoを倍速で読み出させ、Ｄ／Ａ変換回路５６に対し、負極性のデータ信号Ｖidに変換するように制御するとともに、この読み出しに合わせて、サンプリング信号Ｓ1〜Ｓ640がこの順番で排他的にＨレベルとなるようにサンプリング信号出力回路１４２を制御する。サンプリング信号Ｓ1〜Ｓ640が順番にＨレベルになると、ＴＦＴ１４６が順番にオンして画像信号線１７１に供給されたデータ信号Ｖidが１〜６４０列目のデータ線１１４に順番にサンプリングされる。
一方、２４１行目の走査線１１２が選択されて走査信号Ｇ241がＨレベルになると、２４１行目に位置する画素１１０におけるＴＦＴ１１６がすべてオンする。このため、データ線１１４にサンプリングされたデータ信号Ｖidの負極性電圧がそのまま画素電極１１８に印加される。このため、２４１行目であって１、２、３、４、…、６３９、６４０列の画素における液晶容量１２０には、表示データＶideoで指定された階調に応じた負極性電圧が書き込まれて、保持されることになる。
【００２８】
次に、制御回路５２は、１行目の走査線１１２が選択されるように、走査線駆動回路１３０を制御する一方、表示データ処理回路５４に対し、メモリに記憶された１行目に相当する表示データＶideoを倍速で読み出させ、Ｄ／Ａ変換回路５６に対し、正極性のデータ信号Ｖidに変換するように制御するとともに、この読み出しに合わせて、サンプリング信号Ｓ1〜Ｓ640がこの順番で排他的にＨレベルとなるようにサンプリング信号出力回路１４２を制御する。
１行目の走査線１１２が選択されて走査信号Ｇ1がＨレベルになると、１行目に位置する画素１１０におけるＴＦＴ１１６がすべてオンし、これにより、データ線１１４にサンプリングされたデータ信号Ｖidの電圧が画素電極１１８に印加される。このため、１行目であって１〜６４０列の画素における液晶容量１２０には、表示データＶideoで指定された階調に応じた正極性の電圧が書き込まれて、保持されることになる。
【００２９】
以下、第１フィールドにおいては、同様な電圧書込の動作が、２４２、２、２４３、３、…、４８０、２４０行目という順番で実行される。これにより、１〜２４０行目の画素に対しては階調に応じた正極性電圧が書き込まれ、２４１〜４８０行目の画素に対しては階調に応じた負極性電圧が書き込まれて、それぞれ保持されることになる。
なお、タイミングＴにおいてスタートパルスＤybが供給される場合であれば、第２フィールドにおいて、走査線１１２が１、２４１、２、２４２、３、２４３、４、２４４、…、２４０、４８０行目という順番で選択されるともに、同一行における書込極性が反転される。このため、１〜２４０行目の画素に対しては階調に応じた負極性電圧が書き込まれ、２４１〜４８０行目の画素に対しては階調に応じた正極性電圧が書き込まれて、それぞれ保持されることになる。
【００３０】
図５は、第１フィールドにおける（ｉ＋２４０）行目の走査線とｉ行目の走査線とが選択される期間におけるデータ信号Ｖidの電圧波形の一例を示す図である。
この図において、電圧Ｖb(+)、Ｖb(-)は、それぞれ最低階調の黒色に相当する正極性、負極性電圧であり、基準電圧Ｖcを中心に対称の関係にある。表示データＶideoで指定される階調値の十進値が「０」のときに最低階調の黒色を指定し、以後当該十進値が大きくなるにつれて明るい階調を指定する場合、本実施形態はノーマリーホワイトモードであるから、データ信号Ｖidの電圧は、正極性に変換する場合であれば、階調値が大きくなるにつれて電圧Ｖb(+)から低位側に振られた電圧となり、負極性に変換する場合であれば、電圧Ｖb(-)から高位側に振られた電圧となる。
【００３１】
第１フィールドでは、ｉ行目よりも先に（ｉ＋２４０）行目の走査線が選択されるので、走査信号Ｇ(i+240)がＨレベルになる期間のうち、例えばサンプリング信号Ｓ1がＨレベルになる期間に、データ信号Ｖidは、ｉ行１列の画素の階調に応じた負極性電圧となり、以降、サンプリング信号の変化に合わせて、２、３、４、…、６４０列目の画素の階調に応じた負極性電圧に変化する。
続いて選択されるｉ行目では、正極性書込が指定されるので、走査信号ＧiがＨレベルになる期間のうち、例えばサンプリング信号Ｓ1がＨレベルになる期間に、データ信号Ｖidは、ｉ行１列の画素の階調に応じた正極性電圧となり、以降、サンプリング信号の変化に合わせて、２、３、４、…、６４０列の画素の階調に応じた正極性電圧に変化する。
なお、第２フィールドでは、ｉ行目よりも後に（ｉ＋２４０）行目の走査線が選択されるので、走査信号Ｇiが先にＨレベルになるとともに、書込極性が反転するので、データ信号Ｖidの電圧波形は図６に示される通りとなる。
図５および図６においてデータ信号Ｖidの電圧を示す縦スケールは、便宜的に他の信号における縦スケールよりも拡大してある。また、サンプリング信号Ｓ640がＬレベルに変化してからサンプリング信号Ｓ1がＨレベルに変化するまでの期間にわたって黒色に相当する電圧となっているが、その理由は、タイミングずれなどの理由により誤って画素に書き込まれても、表示に寄与させないためである。
【００３２】
図７は、スタートパルスＤybがタイミングＴで供給される場合において、各行の書込状態を連続するフレームにわたった時間経過とともに示す図である。この図に示されるように、本実施形態では、第１フィールドにおいて２４１、２４２、２４３、…、４８０行目の画素では負極性の書き込みがなされ、１、２、３、…、２４０行目の画素では正極性の書き込みがなされて、次の書き込みまで保持される一方、第２フィールドにおいて１、２、３、…、２４０行目の画素では負極性書き込みがなされ、２４１、２４２、２４３、…、４８０行目の画素では正極性の書き込みがなされて、同様に次の書き込みまで保持される。
スタートパルスＤybがタイミングＴで供給される場合、第１および第２フィールドの期間は、クロック信号Ｃlyの２４０周期分であるから、各画素において液晶容量１２０に正極性電圧が保持される期間と負極性電圧が保持される期間とは半分ずつとなる。
【００３３】
ところで、対向電極１０８に印加される電圧ＬＣcomは、図５に示されるように、工場出荷時において、基準電圧Ｖcよりも低位側に設定される。これは、背景技術の欄で述べたようにプッシュダウンやリーク量の相違等のためである。仮に電圧ＬＣcomを基準電圧Ｖcと一致させた場合、負極性書込による液晶容量１２０の電圧実効値が、正極性書込による実効値よりも若干大きくなってしまう（ＴＦＴ１１６がｎチャネルの場合）ので、この差が相殺されるような最適値に、電圧ＬＣcomを基準電圧Ｖcよりも低位側にオフセットして設定しているのである。
本実施形態において、スタートパルスＤybがタイミングＴで供給される場合、第１および第２フィールドの期間は互いに等しく、各画素において液晶容量１２０に正極性電圧が保持される期間と負極性電圧が保持される期間とはフレームの期間の半分ずつとなるので、液晶容量１２０には直流成分が印加されないはずである。
しかしながら、経年変化などによりＴＦＴのプッシュダウン量や、液晶容量におけるリーク量が工場出荷時から変化したとき、電圧ＬＣcomは、もはや最適値ではなくなり、液晶容量１２０に直流成分が印加されることになる。そこで次に、本実施形態において、経年変化が発生しても、液晶容量に直流成分が印加するのを防止するための動作について説明する。
【００３４】
図７において、フレームの開始時（終了時）のタイミングＰでみたときに、画面の上半分の画素は負極性の電圧を保持し、画面の下半分の画素は正極性の電圧を保持している。したがって、画面の全画素において同一階調、特に最高の白と最低の黒との中間階調を表示させた場合、液晶容量に直流成分が印加されていなければ、図８（ａ）に示されるように、上半分と下半分とで同じ明るさとなる。このため、タイミングＰにおける光センサ７０による撮像結果が、画面の上半分と下半分とで同じ明るさであれば、制御回路５２は、なんら動作を変更しない。なお、図８では、画面の明るさを斜め線の密度で表している。
【００３５】
一方、タイミングＰにおける光センサ７０による撮像結果が、図８（ｂ）に示されるように、画面の上半分の方が下半分よりも相対的に明るいとき、これは、液晶容量に直流成分が印加されている状態を示している。詳細には、上半分の画素（液晶容量）において負極性で保持された電圧実効値が、下半分の画素（液晶容量）において正極性で保持された電圧実効値よりも低くなっていることを示している（ノーマリーホワイトモード）。
【００３６】
このとき、制御回路５２は、図９に示されるように、スタートパルスＤybを、タイミングＴよりもクロック信号Ｃlyの１周期分だけ早いタイミングＴ(-1)に変更して出力すると、第１フィールドの期間はクロック信号Ｃlyの２３９周期分となるのに対し、第２フィールドの期間はクロック信号Ｃlyの２４１周期分となる。
このため、図１０に示されるように、スタートパルスＤybの供給を契機とする選択により書き込まれる負極性電圧の保持期間は、スタートパルスＤyaの供給を契機とする選択により書き込まれる正極性電圧の保持期間よりも長くなる。したがって、上半分の画素において負極性で保持された電圧実効値が高められ、下半分の画素（液晶容量）において正極性で保持された電圧実効値よりも低められるので、画面の上半分は下半分よりも暗くなる方向に変化する。
【００３７】
制御回路５２は、この制御によって、画面の上半分と下半分とで同じ明るさとなれば、スタートパルスＤybをタイミングＴ(-1)で固定する一方、なおも画面の上半分の方が下半分よりも相対的に明るければ、スタートパルスＤybを、さらにタイミングＴ(-1)よりもクロック信号Ｃlyの１周期分だけさらに早めたタイミングＴ(-2)で出力する（図示省略）。
制御回路５２は、この制御によって、画面の上半分と下半分とで同じ明るさとなれば、スタートパルスＤybをタイミングＴ(-2)で固定する。なお、制御回路５２は、画面の上半分と下半分とが同じ明るさとなるまで、スタートパルスＤybをクロック信号Ｃlyの１周期分ずつ段階的に早める動作を繰り返す。
【００３８】
一方、タイミングＰにおける光センサ７０による撮像結果が、図８（ｃ）に示されるように、画面の上半分の方が下半分よりも相対的に暗いとき、これは、上半分の画素（液晶容量）において負極性で保持された電圧実効値が、下半分の画素（液晶容量）において正極性で保持された電圧実効値よりも高くなっていることを示している。
このとき、制御回路５２は、図１１に示されるように、スタートパルスＤybを、タイミングＴよりもクロック信号Ｃlyの１周期分だけ遅らせたタイミングＴ(+1)に変更して出力する。このため、第１フィールドの期間はクロック信号Ｃlyの２４１周期分となるのに対し、第２フィールドの期間はクロック信号Ｃlyの２３９周期分となる。
このため、図１２に示されるように、スタートパルスＤybの供給を契機とする選択により書き込まれる負極性電圧の保持期間は、スタートパルスＤyaの供給を契機とする選択により書き込まれる正極性電圧の保持期間よりも短くなる。したがって、上半分の画素において負極性で保持された電圧実効値が低められるとともに、下半分の画素（液晶容量）において正極性で保持された電圧実効値よりも高められるので、画面の上半分は下半分よりも明るくなる方向に変化する。
制御回路５２は、この制御によって、画面の上半分と下半分とで同じ明るさとなれば、スタートパルスＤybをタイミングＴ(+1)で固定する一方、なおも画面の上半分の方が下半分よりも相対的に暗ければ、画面の上半分と下半分とが同じ明るさとなるまで、スタートパルスＤybをクロック信号Ｃlyの１周期分ずつ段階的に遅らせる動作を繰り返す。
【００３９】
したがって、このような制御により、スタートパルスＤybは、画面の上半分と下半分とで同じ明るさとなる地点で出力されるので、負極性で保持された電圧実効値と正極性で保持された電圧実効値とがほぼ等しくなる。このため、第１実施形態によれば、対向電極の電圧を再調整することなく、さらには、フリッカーを打ち消す成分を予めデータ信号に加えることなく、フリッカーの発生を抑えることが可能となる。
【００４０】
なお、スタートパルスＤybの出力地点の調整を行うタイミングは、例えば電源投入してから所定時間経過したとき、ユーザの別途の指示があったとき、電源遮断の指示があったとき、一定時間間隔毎に、など考えられる。
この第１実施形態において、スタートパルスＤyaの供給を契機として選択された行に位置する画素については正極性に、スタートパルスＤybの供給を契機として選択された行に位置する画素については負極性にそれぞれ変換したが、反対に、スタートパルスＤyaの供給を契機として選択された行に位置する画素については負極性に、スタートパルスＤybの供給を契機として選択された行に位置する画素については正極性にそれぞれ変換しても良い。
また、制御回路５２は、光センサによって検出された画面の上半分領域の画素と下半分領域の画素との明るさが一致しているのか否かを検出したが、これは、多数画素の明るさの平均値をみるので誤差が少ないと考えられるからであり、複数の画素（液晶容量）の特性差が無視できるのであれば、同一の画素について正極性で保持された電圧実効値に応じた明るさと、負極性で保持された電圧実効値に応じた明るさとを比較することと同視できるためである。
【００４１】
＜第２実施形態＞
次に、本発明の第２実施形態に係る電気光学装置について説明する。図１３は、第２実施形態に係る電気光学装置の構成を示すブロック図である。
この図で示される電気光学装置１が、第１実施形態に係る電気光学装置（図１参照）と相違するところは、光センサ７０に替えて温度センサ７２を有し、制御回路５２が温度センサ７２による検出結果を考慮して表示パネルを制御する点にある。したがって、以下においては、この相違点を中心に説明することにする。
【００４２】
液晶容量１２０に蓄積された電荷は、温度が高いほどリークしやすく、反対に温度が低いほどリークしにくい傾向にある。また、極性によってリークに差があるのは、上述した通りである。このため、液晶容量１２０にあっては、例えば温度が高くなるにつれて、走査線の選択時に書き込んだ画素電極の電圧が対向電極１０８に印加された電圧ＬＣcomに速く近づく。
工場出荷時に設定された電圧ＬＣcomは、例えば常温（２５度）での使用を前提としているので、常温から外れるにつれて、液晶容量１２０に直流成分が印加されることになる。したがって、第２実施形態では、リーク量の温度特性を予め求めておき、制御回路５２が、当該温度特性に応じて、すなわち、温度センサ７２により検出した温度に対応するリーク量を考慮してスタートパルスＤybのシフト方向（時間的に前か後か）および量（クロック信号Ｃlyの何周期分）を決定する構成となる。
このような構成によっても、対向電極の電圧を再調整することなく、さらには、フリッカーを打ち消す成分を予めデータ信号に加えることなく、フリッカーの発生を抑えることが可能となる。
【００４３】
なお、液晶容量１２０のリーク量を変化させる要因としては、温度のほかに、光源の累積点灯時間、階調ヒストグラム、表示パネルの使用時間などが考えられる。
ここで、光源の累積点灯時間、表示パネルの使用時間については、表示パネルの経年変化として扱うこともできるが、これらの時間を計測する回路を設けて、この計測時間を考慮してスタートパルスＤybのシフト方向および量を決定しても良い。
【００４４】
また、工場出荷時において設定される電圧ＬＣcomは、ある特定の階調（多くの場合、フリッカーを視認しやすい中間階調）を表示させたときにフリッカーが最小となるように設定される。したがって、この特定階調を表示する場合には、フリッカーの発生が抑えられる。ただし、工場出荷後に、特定階調以外の階調を偏って多く表示させた場合、電荷のリーク量が正極性と負極性とで異なることから、直流成分が印加されてしまう可能性がある。そこで、図１４に示されるように、表示データＶideoで指定される階調値のヒスグラムを作成するヒストグラム作成器７４を設ける一方、制御回路５２が、作成された階調値のヒスグラムに応じて、スタートパルスＤybのシフト方向および量を決定しても良い。
なお、この構成では、表示パネル１０の機種、製造ロットまたは個体毎に、階調値のヒスグラムの累積値に対し、最適なスタートパルスＤybのシフト方向および量を予め求めて、数式化またはテーブル化しておく必要がある。
【００４５】
液晶容量の直流成分の印加は、そもそも正極性とで書き込んだ電圧と負極性で書き込んだ電圧との相違に起因する。このため、ヒストグラム作成器７４は、正極性で書き込んだ階調値と負極性で書き込んだ階調値とのヒストグラムを作成して、制御回路５２が、当該ヒスグラムに応じて、スタートパルスＤybのシフト方向および量を決定しても良い。
【００４６】
このように温度センサ７２や、ヒストグラム作成器７４を有する構成では、これらの結果に応じてスタートパルスＤybのシフト方向および量が決定されるだけであり、フリッカーを実際に検出していない。このため、液晶容量１２０に直流成分が印加される可能性が否定できないので、温度センサ７２やヒストグラム作成器７４とともに、第１実施形態における光センサ７０を設けて、画面の検出結果をスタートパルスＤybのシフト方向および量の決定にフィードバックさせても良い。
【００４７】
＜応用・変形＞
上述した実施形態については、様々な応用・変形が可能である。
例えば、第１実施形態では、スタートパルスＤybがタイミングＴで出力される場合であれば、走査線１１２が、第１フィールドでは、２４１、１、２４２、２、２４３、３、…、４８０、２４０行目という順番で選択し、第２フィールドでは、１、２４１、２、２４２、３、２４３、…、２４０、４８０行目という順番で選択するという飛び越し走査（領域走査駆動）としたが、図１５に示されるように、第１および第２フィールドのそれぞれにおいて、１、２、３、４、…、４７９、４８０行目という順番で選択しても良い。
【００４８】
なお、図１５に示す駆動方式においても、外部上位装置から供給される表示データＶideoに対して２倍の速度で表示パネル１０に供給される。このため表示データＶideoに供給速度で書き込まれた後、第１および第２フィールドにおいて１〜４８０行目の順番で読み出される。このような倍速駆動において走査線駆動回路１３０は、走査信号Ｇ1〜Ｇ480について、スタートパルスＤyaまたはＤybが供給されるとクロック信号Ｃlyの論理レベルが変化する毎にクロック信号の半周期分の期間において順次Ｈレベルとさせる構成となる。
したがって、図１５に示されるように、第１フィールドではスタートパルスＤyaの供給を契機として走査線が選択され、第２フィールドではスタートパルスＤybの供給を契機として走査線が選択される。
【００４９】
このとき、第１フィールドにおいて４８０行目の走査線を選択してから、次の第２フィールドにおいて１行目の走査線を選択するまで帰線期間Ｆb1を設ける。同様に、第２フィールドにおいて４８０行目の走査線を選択してから、次のフレームの第１フィールドにおいて１行目の走査線を選択するまで帰線期間Ｆb2を設ける。また、例えば第１フィールドにおいて正極性の電圧を書き込み、第２フィールドにおいて負極性の電圧を書き込むものとする。
ここで、帰線期間Ｆb 1、Ｆb2を、それぞれ表示データＶideoの帰線期間の半分ずつとすると、第１および第２フィールドの期間は、互いに等しくなるので、経年変化の影響がなければ、正極性で保持された電圧実効値と負極性で保持された電圧実効値とがほぼ等しくなる。このため、第２フィールドの中間タイミングＱにおいて、表示領域１００における上半分の領域（負極性電圧が保持されている領域）と、下半分の領域（正極性電圧が保持されている領域）とでは、図８（ａ）に示されるように、明るさがほぼ等しくなる。
【００５０】
ただし、経年変化の影響によって例えば直流成分が印加されていると、中間タイミングＱにおいて、表示領域１００における上半分の領域（負極性電圧が保持されている領域）と、下半分の領域（正極性電圧が保持されている領域）とにおいて、図８（ｂ）または図８（ｃ）に示されるように明るさの相違となって現れる。
このとき、図８（ｂ）に示されるように、上半分の領域が下半分の領域よりも明るければ、ノーマリーホワイトモードにおいて負極性で保持されている電圧実効値が正極性で保持されている電圧実効値よりも低いことを示しているので、制御回路５２は、スタートパルスＤy bをタイミングＴよりも１段早めて、図１６に示されるように、負極性の電圧を保持する第２フィールドの期間を長くし、正極性の電圧を保持する第１フィールドの期間を短くする。このような動作を、タイミングＰにおいて上半分の領域と下半分の領域との明るさが等しくなるまで繰り返す。
ここで、スタートパルスＤybをタイミングＴよりも早める場合に、その限界は、図１６に示されるように、帰線期間Ｆb1がゼロとなるまでである。
【００５１】
一方、図８（ｂ）に示されるように、上半分の領域が下半分の領域よりも暗ければ、ノーマリーホワイトモードにおいて負極性で保持されている電圧実効値が正極性で保持されている電圧実効値よりも高いことを示しているので、制御回路５２は、スタートパルスＤybをタイミングＴよりも１段遅らせて、図１７に示されるように、負極性の電圧を保持する第２フィールドの期間を短くし、正極性の電圧を保持する第１フィールドの期間を長くする。このような動作を、タイミングＰにおいて上半分の領域と下半分の領域との明るさが等しくなるまで繰り返す。
ここで、スタートパルスＤybをタイミングＴよりも遅らせる場合に、その限界は、図１７に示されるように、帰線期間Ｆb2がゼロとなるまでである
【００５２】
なお、図１５（図１６、図１７）に示す駆動方式では、第１フィールドにおいて正極書き込みを実行し、第２フィールドにおいて負極書き込みを実行したが、これとは反対に、第１フィールドにおいて負極書き込みを実行し、第２フィールドにおいて正極書き込みを実行しても良い。
【００５３】
また、実施形態では、スタートパルスＤyaの供給タイミングを固定とし、スタートパルスＤybの供給タイミングを変化させたが、逆に、スタートパルスＤybの供給タイミングを固定とし、スタートパルスＤyaの供給タイミングを変化させても良い。
また、スタートパルスＤya、Ｄybの双方の供給タイミングを変化させても良い。ただし、スタートパルスＤya、Ｄybの双方の供給タイミングを変化させると、表示データＶideoの供給に対して、表示パネルに供給する表示データが同期しなくなり、フレームが一致しなくなるので、複数フレームの１回の割合で両者が非同期（コマ落ち、または、メモリ再読み出し）が発生する。
さらに、実施形態では、電圧無印加状態において白色を表示するノーマリーホワイトモードとしたが、電圧無印加状態において黒色を表示するノーマリーブラックモードとしても良い。
【００５４】
＜電子機器＞
次に、上述した実施形態に係る電気光学装置を用いた電子機器の例について説明する。図１８は、上述した電気光学装置１の表示パネル１０をライトバルブとして用いた３板式プロジェクタの構成を示す平面図である。
このプロジェクタ２１００において、ライトバルブに入射させるための光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００５５】
ここで、ライトバルブ１００Ｒ、１００Ｇおよび１００Ｂの構成は、上述した実施形態における表示パネル１０と同様であり、外部上位装置（図示省略）から供給されるＲ、Ｇ、Ｂの各色に対応する画像データでそれぞれ駆動されるものである。
ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、レンズユニット１８２０によって正転拡大投影されるので、スクリーン２１２０には、カラー画像が表示されることとなる。
【００５６】
なお、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂにより形成される画像と、ライトバルブ１００Ｇにより形成される画像とは左右反転の関係にある。
【００５７】
また、電子機器としては、図１８を参照して説明した他にも、リアプロジェクション型のテレビジョンや、直視型、例えば携帯電話や、パーソナルコンピュータ、ビデオカメラのモニタ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの各種の電子機器に対して、本発明に係る電気光学装置が適用可能なのは言うまでもない。
【図面の簡単な説明】
【００５８】
【図１】本発明の第１実施形態に係る電気光学装置の構成を示すブロック図である。
【図２】同電気光学装置における表示パネルの構成を示す図である。
【図３】同表示パネルにおける画素の構成を示す図である。
【図４】同表示パネルにおける走査線駆動回路の動作を示す図である。
【図５】同表示パネルにおけるデータ信号の電圧波形例を示す図である。
【図６】同表示パネルにおけるデータ信号の電圧波形例を示す図である。
【図７】表示領域における画素の書き込みの推移を示す図である。
【図８】タイミングＰにおける表示領域の状態を示す例である。
【図９】同電気光学装置におけるフリッカー抑制動作を示す図である。
【図１０】フリッカー抑制動作における画素の書き込みの推移を示す図である。
【図１１】同電気光学装置におけるフリッカー抑制動作を示す図である。
【図１２】フリッカー抑制動作における画素の書き込みの推移を示す図である。
【図１３】本発明の第２実施形態に係る電気光学装置の構成を示すブロック図である。
【図１４】本発明に係る電気光学装置の応用構成を示すブロック図である。
【図１５】本発明に適用可能な倍速駆動方式を示す図である。
【図１６】本発明に適用可能な倍速駆動方式を示す図である。
【図１７】本発明に適用可能な倍速駆動方式を示す図である。
【図１８】実施形態に係る電気光学装置を用いたプロジェクタの構成を示す図である。
【符号の説明】
【００５９】
１…電気光学装置、１０…表示パネル、５０…処理回路、５２…制御回路、５４…表示データ処理回路、５６…Ｄ／Ａ変換回路、１０５…液晶、１０８…対向電極、１１０…画素、１１２…走査線、１１４…データ線、１１６…ＴＦＴ、１１８…画素電極、１２０…液晶容量、１３０…走査線駆動回路、１４０…データ線駆動回路、１４２…サンプリング信号出力回路、１４６…ＴＦＴ、２１００…プロジェクタ
【図１】
0005617152.tif 000002
【図２】
0005617152.tif 000003
【図３】
0005617152.tif 000004
【図４】
0005617152.tif 000005
【図５】
0005617152.tif 000006
【図６】
0005617152.tif 000007
【図７】
0005617152.tif 000008
【図８】
0005617152.tif 000009
【図９】
0005617152.tif 000010
【図１０】
0005617152.tif 000011
【図１１】
0005617152.tif 000012
【図１２】
0005617152.tif 000013
【図１３】
0005617152.tif 000014
【図１４】
0005617152.tif 000015
【図１５】
0005617152.tif 000016
【図１６】
0005617152.tif 000017
【図１７】
0005617152.tif 000018
【図１８】
0005617152.tif 000019